(57)【要約】【課題】消費電力を抑制可能な電子時計、計測システム及び計測結果表示方法を提供すること。【解決手段】電子時計は、複数の計測項目のうちいずれかの計測項目である表示対象項目の計測結果を取得する計測結果取得部と、表示対象項目の計測結果を表示する表示部と、表示対象項目に応じた表示期間の間、表示対象項目の計測結果を表示部に表示させる表示制御部と、を有し、表示期間は、複数の計測項目のそれぞれに応じて設定されている。【選択図】図５
2018159664.tif 000002
【特許請求の範囲】
【請求項１】
複数の計測項目のうちいずれかの計測項目である表示対象項目の計測結果を取得する計測結果取得部と、
前記表示対象項目の計測結果を表示する表示部と、
前記表示対象項目に応じた表示期間の間、前記表示対象項目の計測結果を前記表示部に表示させる表示制御部と、を有し、
前記表示期間は、前記複数の計測項目のそれぞれに応じて設定されていることを特徴とする電子時計。
【請求項２】
請求項１に記載の電子時計において、
前記複数の計測項目のうち少なくとも１つの計測項目を計測可能な計測部を有し、
前記計測結果取得部は、前記計測部による計測結果を取得することを特徴とする電子時計。
【請求項３】
請求項２に記載の電子時計において、
前記複数の計測項目のうち、前記計測部によって計測可能な計測項目に応じた前記表示期間を記憶する記憶部を有することを特徴とする電子時計。
【請求項４】
請求項１から請求項３のいずれか一項に記載の電子時計において、
前記複数の計測項目のうち少なくとも１つの計測項目を計測可能な計測装置から前記表示対象項目の計測結果を受信する通信部を有し、
前記計測結果取得部は、前記通信部によって受信される計測結果を取得することを特徴とする電子時計。
【請求項５】
請求項４に記載の電子時計において、
前記複数の計測項目のうち、前記計測装置によって計測可能な計測項目に応じた前記表示期間を、前記計測装置から取得する表示期間取得部を有することを特徴とする電子時計。
【請求項６】
請求項１から請求項５のいずれか一項に記載の電子時計において、
前記表示対象項目が変更された場合に、前記表示期間に、変更された前記表示対象項目に応じた前記表示期間を設定する表示期間設定部を有することを特徴とする電子時計。
【請求項７】
請求項１から請求項６のいずれか一項に記載の電子時計において、
前記表示部は、
文字盤と、
前記文字盤に回動可能に設けられ、前記計測結果を指示する指針と、を有することを特徴とする電子時計。
【請求項８】
複数の計測項目を計測可能な計測装置と、
前記計測装置と通信可能に構成された電子時計と、を備え、
前記電子時計は、
前記計測装置から、前記複数の計測項目のうちいずれかの計測項目である表示対象項目の計測結果を取得する計測結果取得部と、
前記表示対象項目の計測結果を表示する表示部と、
前記表示対象項目に応じた表示期間の間、前記表示対象項目の計測結果を前記表示部に表示させる表示制御部と、を有し、
前記表示期間は、前記複数の計測項目のそれぞれに応じて設定されていることを特徴とする計測システム。
【請求項９】
複数の計測項目のうちいずれかの計測項目である表示対象項目の計測結果を表示する電子時計を用いて実施される計測結果表示方法であって、
前記表示対象項目の計測結果を取得する取得ステップと、
前記表示対象項目に応じた表示期間の間、前記表示対象項目の計測結果を表示する表示ステップと、を含み、
前記表示期間は、前記複数の計測項目のそれぞれに応じて設定されていることを特徴とする計測結果表示方法。
【発明の詳細な説明】
【技術分野】
【０００１】
本発明は、電子時計、計測システム及び計測結果表示方法に関する。
【背景技術】
【０００２】
従来、現在時刻を時分針によって指示するとともに、温度等の物理量を計測し、計測された物理量を情報指針によって指示する電子時計が知られている（例えば、特許文献１参照）。
この特許文献１に記載の電子時計は、外気温を検出する温度センサーと、温度センサーの通電及び計測周期を制御して温度計測を行う温度センサー制御部と、を備える。この電子時計では、時刻は、文字板の中心を軸に文字板の全体で回転される時針及び分針によって示され、温度センサーによって計測された温度は、文字板の９時位置に設けられた目盛部に位置する小針によって示される。
【先行技術文献】
【特許文献】
【０００３】
【特許文献１】特開２０１３−５７５１７号公報
【発明の概要】
【発明が解決しようとする課題】
【０００４】
ここで、上記特許文献１に記載の電子時計のようなセンサーを内蔵する電子時計や、外部機器としての計測装置と通信する電子時計では、時計全体の消費電力において、計測結果を得るための消費電力の割合が比較的大きい。このため、電子時計の駆動時間を長くするために、消費電力を低減可能な構成が要望されてきた。
【０００５】
本発明は、上記課題の少なくとも一部を解決することを目的としたものであり、消費電力を低減可能な電子時計、計測システム及び計測結果表示方法を提供することを目的の１つとする。
【課題を解決するための手段】
【０００６】
本発明の第１態様に係る電子時計は、複数の計測項目のうちいずれかの計測項目である表示対象項目の計測結果を取得する計測結果取得部と、前記表示対象項目の計測結果を表示する表示部と、前記表示対象項目に応じた表示期間の間、前記表示対象項目の計測結果を前記表示部に表示させる表示制御部と、を有し、前記表示期間は、前記複数の計測項目のそれぞれに応じて設定されていることを特徴とする。
【０００７】
このような構成によれば、計測項目によって表示期間を異ならせることができる。このため、例えば、計測結果を短時間表示するだけでも当該計測結果を確認可能な計測項目については、当該計測結果の表示期間を短くすることにより、電子時計の消費電力を抑制できる。一方、計測結果を長時間表示する必要がある計測項目については、当該計測項目の表示期間を長くすることにより、当該計測項目の計測結果を確実に確認できる。この他、表示期間が長い場合でも、計測結果が表示され続ける場合に比べて、消費電力を低減できる。従って、電子時計の消費電力を低減できる他、当該電子時計の利便性を向上させることができる。
【０００８】
上記第１態様では、前記複数の計測項目のうち少なくとも１つの計測項目を計測可能な計測部を有し、前記計測結果取得部は、前記計測部による計測結果を取得することが好ましい。
このような構成によれば、電子時計が上記計測部を有するので、上記少なくとも１つの計測項目の計測結果を電子時計単体で表示できる。
【０００９】
上記第１態様では、前記複数の計測項目のうち、前記計測部によって計測可能な計測項目に応じた前記表示期間を記憶する記憶部を有することが好ましい。
このような構成によれば、記憶部が、計測項目に応じた表示期間を予め記憶しておくことにより、表示対象項目の計測結果を表示する際に、当該表示期間を外部から取得する必要がない。従って、電子時計が、表示対象項目に応じた表示期間の間のみ当該表示対象項目の計測結果を確実に表示できる。
【００１０】
上記第１態様では、前記複数の計測項目のうち少なくとも１つの計測項目を計測可能な計測装置から前記表示対象項目の計測結果を受信する通信部を有し、前記計測結果取得部は、前記通信部によって受信される計測結果を取得することが好ましい。
ここで、電子時計が、ユーザーに装着されて利用される構成である場合には、電子時計内のスペース、電池容量及び重量の問題により、多くのセンサーを設けることが難しい。
これに対し、電子時計が、外部機器としての計測装置と通信して、上記少なくとも１つの計測項目の計測結果を取得することによって、電子時計が計測結果を表示可能な計測項目を容易に増やすことができる。従って、電子時計の機能を容易に拡張できる。
また、このような電子時計では、消費電力が大きなセンサーを内蔵する必要がない。従って、電子時計の消費電力を低減できる他、小型化及び軽量化を図ることができる。
【００１１】
上記第１態様では、前記複数の計測項目のうち、前記計測装置によって計測可能な計測項目に応じた前記表示期間を、前記計測装置から取得する表示期間取得部を有することが好ましい。
このような構成によれば、外部機器である計測装置が計測可能な計測項目に応じた表示期間を、電子時計が予め保持しておく必要がない。従って、計測装置から計測結果を取得して表示する場合でも、電子時計が、対応する表示期間の間のみ当該計測結果を確実に表示できる。
【００１２】
上記第１態様では、前記表示対象項目が変更された場合に、前記表示期間に、変更された前記表示対象項目に応じた前記表示期間を設定する表示期間設定部を有することが好ましい。
このような構成によれば、表示期間が長い計測項目から、表示期間が短い計測項目に表示対象項目が切り替えられた場合に、当該表示期間が短い計測項目の計測結果が、長時間表示され続けることを抑制できる。また、表示期間が短い計測項目から、表示期間が長い計測項目に表示対象項目が切り替えられた場合に、当該表示期間が長い計測項目の計測結果が、短時間しか表示されなくなることを抑制できる。従って、電子時計の利便性を向上させることができる。
【００１３】
上記第１態様では、前記表示部は、文字盤と、前記文字盤に回動可能に設けられ、前記計測結果を指示する指針と、を有することが好ましい。
このような構成によれば、計測結果が指針によって示されるので、当該計測結果を直観的に把握できる。また、このような計測結果をデジタル表示する場合に比べて、電子時計の高級感を高めることができる。
【００１４】
本発明の第２態様に係る計測システムは、複数の計測項目を計測可能な計測装置と、前記計測装置と通信可能に構成された電子時計と、を備え、前記電子時計は、前記計測装置から、前記複数の計測項目のうちいずれかの計測項目である表示対象項目の計測結果を取得する計測結果取得部と、前記表示対象項目の計測結果を表示する表示部と、前記表示対象項目に応じた表示期間の間、前記表示対象項目の計測結果を前記表示部に表示させる表示制御部と、を有し、前記表示期間は、前記複数の計測項目のそれぞれに応じて設定されていることを特徴とする。
上記第２態様によれば、上記第１態様に係る電子時計と同様の効果を奏することができる。
【００１５】
本発明の第３態様に係る計測結果表示方法は、複数の計測項目のうちいずれかの計測項目である表示対象項目の計測結果を表示する電子時計を用いて実施される計測結果表示方法であって、前記表示対象項目の計測結果を取得する取得ステップと、前記表示対象項目に応じた表示期間の間、前記表示対象項目の計測結果を表示する表示ステップと、を含み、前記表示期間は、前記複数の計測項目のそれぞれに応じて設定されていることを特徴とする。
上記第３態様によれば、上記電子時計を用いて当該計測結果表示方法を実施することにより、上記第１態様に係る電子時計と同様の効果を奏することができる。
【図面の簡単な説明】
【００１６】
【図１】本発明の一実施形態に係る計測システムの構成を示す模式図。
【図２】上記実施形態における計測装置の構成を示すブロック図。
【図３】上記実施形態における電子時計を示す模式図。
【図４】上記実施形態における時計本体の内部構成を示すブロック図。
【図５】上記実施形態における制御部の構成を示すブロック図。
【図６】上記実施形態における単独表示処理を示すフローチャート。
【図７】上記実施形態における連携表示処理を示すフローチャート。
【発明を実施するための形態】
【００１７】
以下、本発明の一実施形態について、図面に基づいて説明する。
［計測システムの概略構成］
図１は、本実施形態に係る計測システム１の構成を示す模式図である。
本実施形態に係る計測システム１は、図１に示すように、互いに通信可能に構成された計測装置２及び電子時計３を備える。
この計測システム１は、電子時計３が、当該電子時計３の計測部５８によって計測された計測結果、及び、計測装置２による計測結果を表示する際に、これら計測部５８及び計測装置２によって計測可能な複数の計測項目のうち、表示対象とされた計測項目（表示対象項目）に応じた表示期間の間だけ計測結果を表示する点に特徴の１つを有する。
以下、計測装置２及び電子時計３（以下、時計３と略す場合がある）の構成について、詳述する。
【００１８】
［計測装置の構成］
図２は、計測装置２の構成を示すブロック図である。
計測装置２は、上記時計３を装着するユーザーによって携帯可能に構成され、種々の計測項目（例えばユーザーに関する計測項目や計測装置２の周囲環境に関する計測項目）を計測する。そして、計測装置２は、計測結果を含む詳細計測情報を時計３に送信する。
このような計測装置２は、図２に示すように、検出部２１、操作部２２、通信部２３、記憶部２４及び制御部２５を有する。
【００１９】
［検出部の構成］
検出部２１は、上記計測項目に関する情報を検出する。本実施形態では、検出部２１は、紫外線量を検出する紫外線センサー２１１、気温を検出する温度センサー２１２、及び、ユーザーの体動を検出する動きセンサー２１３を有する。そして、検出部２１は、これらセンサー２１１〜２１３による検出結果を示す検出信号を制御部２５に出力する。
なお、動きセンサー２１３は、当該計測装置２に作用する加速度及び角速度を検出する加速度センサー及び角速度センサーの少なくともいずれかを備えて構成される。
このような検出部２１は、上記センサー２１１〜２１３のうち少なくともいずれかに代えて、或いは、加えて、他のセンサーを有していてもよい。このようなセンサーとして、例えば、ユーザーの脈波を検出する脈波センサーが挙げられる。
【００２０】
［操作部の構成］
操作部２２は、計測装置２に対する入力操作を受け付ける部位であり、図示を省略するが、計測装置２の外面に設けられたスイッチ等の入力手段によって構成される。このようなスイッチとして、操作部２２は、例えば時計３に計測結果が送信される計測項目を切り替えるスイッチが挙げられる。そして、操作部２２は、当該入力操作に応じた操作信号を制御部２５に出力する。
【００２１】
［通信部の構成］
通信部２３は、制御部２５による制御の下、計測装置２にとっての外部機器である時計３と通信する。このような通信部２３は、例えばＩＥＥＥ８０２．１５等の近距離無線通信規格に応じた通信方式や、ＩＥＥＥ８０２．１６及びＬＴＥ（Long Term Evolution）等の通信規格に応じた通信方式により、時計３と通信可能な通信モジュールにより構成できる。なお、前者の通信方式としては、Bluetooth（登録商標）が挙げられる。
【００２２】
［記憶部の構成］
記憶部２４は、例えばフラッシュメモリー等の不揮発性メモリーにより構成され、計測装置２の動作に必要な各種プログラム及びデータを記憶している。例えば、記憶部２４は、後述する連携表示処理を実行するための計測結果送信プログラムを記憶している。また、記憶部２４は、各計測項目の計測結果（計測値）を記憶する。
更に、記憶部２４は、計測結果を時計３が表示する期間（表示期間）を計測項目毎に記憶している。本実施形態では、計測装置２によって計測可能な複数の計測項目のうち、紫外線量、気温及びカロリーの表示期間として「１分間」が記憶され、歩数の表示期間として「６０分間」が記憶されている。
【００２３】
［制御部の構成］
制御部２５は、例えばＣＰＵ（Central Processing Unit）等の演算処理回路を備えて構成され、計測装置２全体の動作を制御する。この制御部２５は、記憶部２４に記憶されたプログラムを実行することによってそれぞれ機能する計時部２５１、検出制御部２５２、情報解析部２５３、対象切替部２５４、送信情報生成部２５５、通信制御部２５６及び受信判定部２５７を有する。
【００２４】
計時部２５１は、現在日時を計時する。
検出制御部２５２は、検出部２１の動作を制御する。具体的に、検出制御部２５２は、上記検出部２１のセンサー２１１〜２１３を所定のサンプリングレートで動作させ、当該検出部２１に上記検出信号を出力させる。
【００２５】
情報解析部２５３は、上記検出部２１とともに計測装置２の計測部を構成する。この情報解析部２５３は、当該検出部２１から入力される検出信号を解析する。
例えば、情報解析部２５３は、紫外線センサー２１１から入力される検出信号に基づいて、紫外線量を算出する。また、情報解析部２５３は、温度センサー２１２から入力される検出信号に基づいて、温度（計測装置２の周囲温度）を算出する。更に、情報解析部２５３は、動きセンサー２１３から入力される検出信号と、計時部２５１によって計時されている現在日時とに基づいて、当日の歩数及び当日の消費カロリーを算出する。これらの計測値（算出値）は、記憶部２４に記憶されるが、記憶部２４は、各計測値と、当該計測値に対応する検出結果が得られた日時とを関連付けて記憶してもよい。
【００２６】
対象切替部２５４は、上記複数の計測項目のうち、時計３に計測結果を送信する計測項目（時計３によって表示される計測項目である表示対象項目）を切り替える。具体的に、当該計測項目を切り替える操作信号（切替信号）が操作部２２から入力されると、対象切替部２５４は、当該操作信号が入力される毎に、上記複数の計測項目である紫外線量、気温、歩数及びカロリーのうちの１つに、表示対象項目を順に切り替える。
【００２７】
送信情報生成部２５５は、通信部２３を介して外部機器に送信される送信情報を生成する。例えば、送信情報生成部２５５は、上記表示対象項目を示す対象項目情報と、当該表示対象項目の計測結果（計測値）を示す計測結果情報と、当該表示対象項目に応じた上記表示期間を示す表示期間情報と、を含む詳細計測情報を生成する。これらのうち、表示期間情報には、表示対象項目に応じた表示期間が記憶部２４から取得されて設定される。
このような送信情報は、通信制御部２５６の制御の下、通信部２３によって外部機器（例えば時計３）に送信される。
【００２８】
通信制御部２５６は、通信部２３を介して行われる外部機器との通信を制御する。このような通信制御部２５６は、例えば通信部２３が時計３とBluetoothにて通信する際には、当該時計３から取得されるペアリング情報を接続情報として記憶部２４に記憶させる。そして、通信制御部２５６は、当該接続情報に基づいて通信接続が確立された時計３から送信される各種情報（例えば要求情報や終了情報）を通信部２３に受信させる他、当該通信部２３によって各種情報（例えば詳細計測情報）を時計３に送信させる。
受信判定部２５７は、通信部２３を介して時計３と通信する場合に、上記要求情報が受信されたか否かを判定する他、後述する終了情報が受信されたか否かを判定する。
【００２９】
［電子時計の構成］
図３は、正面側から見た電子時計３を示す模式図である。
時計３は、ユーザーによって携帯可能に構成され、当該ユーザーに装着されて利用されるウェアラブル機器である。この時計３は、図３に示すように、現在日時と各種計測項目の計測結果とを指針によって指示するアナログ式の電子時計である。この時計３は、時計本体４と、当該時計本体４をユーザーの身体（例えば手首）に装着させるバンドＢＮと、を備える。
【００３０】
［時計本体の構成］
時計本体４は、それぞれ正面視略円形状の筐体４１及び表示部４２を有する。
筐体４１は、それぞれ筐体４１の側面に突設された３つのスイッチＳＷ（ＳＷＡ〜ＳＷＣ）と、１つのりゅうずＣＲと、を有する。
スイッチＳＷＡは略８時方向の位置に、スイッチＳＷＢは略２時方向の位置に、スイッチＳＷＣは略１０時方向の位置に配置され、これらスイッチＳＷＡ〜ＳＷＣは、ユーザーによる入力操作（押下操作）を受け付ける操作部を構成する。これらスイッチＳＷＡ〜ＳＷＣは、当該入力操作に応じた操作信号を、後述する制御部６０（図４参照）に出力する。
りゅうずＣＲは、後述する指針Ｈ（例えば時針Ｈ１及び分針Ｈ２）を操作する際に利用される。
【００３１】
表示部４２は、文字盤４３と、当該文字盤４３に回動可能に設けられる複数の指針Ｈ（時針Ｈ１、分針Ｈ２、秒針Ｈ３、モード針Ｈ４、残量針Ｈ５及び表示針Ｈ６〜Ｈ８）と、を備えて構成されている。
文字盤４３は、円形状に形成され、筐体４１の正面に配置されている。この文字盤４３は、３つの小窓４４〜４６を有する。
なお、時針Ｈ１、分針Ｈ２及び表示針Ｈ８は、それぞれの回転軸が文字盤４３の略中央にて同軸となるように回転可能に設けられている。
【００３２】
小窓４４は、文字盤４３において略１０時方向に位置する。この小窓４４には、秒針Ｈ３が回転可能に配置されている。
小窓４５は、文字盤４３において略６時方向に位置する。この小窓４５には、モード針Ｈ４及び残量針Ｈ５が、それぞれの回動軸が小窓４５の略中央にて同軸となるように回動可能に配置されている。これらのうち、モード針Ｈ４は、時計３の現在の動作モードを指し示す針であり、残量針Ｈ５は、筐体４１に内蔵された二次電池５３（図４参照）の電池残量を指し示す針である。
小窓４６は、文字盤４３における略２時方向の位置に配置されている。この小窓４６には、表示針Ｈ６，Ｈ７が、それぞれの回転軸が同軸となるように回転可能に配置されている。これらのうち、表示針Ｈ７は、表示針Ｈ６より長く、表示針Ｈ８より短い。すなわち、表示針Ｈ６〜Ｈ８のうち、表示針Ｈ８が最も長く、表示針Ｈ６が最も短い。
【００３３】
なお、時計３（時計本体４）は、後述する計測部５８（図４参照）による計測結果、及び、計測装置２から受信された詳細計測情報に含まれる計測結果を示す際に、上記表示針Ｈ６〜Ｈ８によって四桁の数値を指し示すことが可能である。本実施形態では、当該四桁の数値のうち、上位一桁目の数値（例えば千の桁の数値）を表示針Ｈ６が指示し、上位二桁目の数値（例えば百の桁の数値）を表示針Ｈ７が指示し、上位三桁目及び四桁目の数値（例えば十の桁及び一の桁の数値）を表示針Ｈ８が指示する。小数点以下の数値を示す場合も同様である。すなわち、それぞれ一回転する間に、表示針Ｈ６，Ｈ７は「０」〜「９」の値を指示し、表示針Ｈ８は「００」〜「９９」の値を指示する。
【００３４】
［時計の内部構成］
図４は、時計本体４の内部構成を示すブロック図である。
時計本体４は、上記構成の他、図４に示すように、それぞれ筐体４１に設けられる発電部５１、充電部５２、二次電池５３、受信部５４、計時部５５、通信部５６、駆動部５７、計測部５８、記憶部５９及び制御部６０を有する。
【００３５】
発電部５１は、二次電池５３を充電する電力を発生させる。本実施形態では、発電部５１としては、光エネルギーを電気エネルギー（電力）に変換する複数のソーラーセル（光発電素子）を有するソーラーパネルが採用されている。しかしながら、これに限らず、発電部５１は、回転錘を回転させることによって発電する構成であってもよい。
充電部５２は、発電部５１にて発電された電力によって二次電池５３を充電する。
二次電池５３は、時計本体４の電子部品に駆動電力を供給する。この二次電池５３の電池残量は、上記残量針Ｈ５によって指示される。
【００３６】
受信部５４は、ＧＰＳ（Global Positioning System）信号等の衛星信号や標準電波等に含まれる日時情報を受信する。この受信部５４による日時情報の受信は、制御部６０によって制御され、例えば、上記スイッチＳＷＢの押下に応じた操作信号が入力された場合や、予め設定された時刻になったときに実施される。
計時部５５は、現在日時を計時する。この現在日時は、受信部５４によって受信された日時情報に基づいて、後述する制御部６０によって修正される。
通信部５６は、制御部６０による制御の下、所定の時間間隔で外部機器と通信する。このような通信部５６の構成としては、上記通信部２３と同様の構成を例示できる。
駆動部５７は、制御部６０による制御の下、上記指針Ｈを回動（移動）させる。本実施形態では、駆動部５７は、複数のステッピングモーターを備えて構成されている。
【００３７】
計測部５８は、上記計測装置２と同様に、ユーザーに関する計測項目や、時計３の周囲環境に関する計測項目を計測する。本実施形態では、計測部５８は、方位を計測する方位センサーと、気圧を計測する気圧センサーと、を有する。また、計測部５８は、計測された気圧に基づいて高度を算出する。そして、計測部５８は、これら計測項目（方位、気圧及び高度）の計測結果を制御部６０に出力する。なお、計測部５８は、制御部６０による制御の下、方位、気圧及び高度を１秒間隔で計測するが、これら計測項目の計測頻度は、適宜変更可能であり、制御部６０によっても変更可能である。
なお、計測部５８は、上記方位センサー及び気圧センサーに代えて、或いは、加えて、他の計測項目の物理量を計測する他のセンサーを有していてもよい。例えば、時計３が計測装置２と通信しない場合（通信部５６が無い場合）には、当該時計３は、上記センサー２１１〜２１３及び情報解析部２５３を有していてもよい。また、計測部５８は、ユーザーの生体情報を検出するセンサー（例えば脈波センサー）や、当該センサーによる検出結果を解析する解析部を有する構成としてもよい。
【００３８】
記憶部５９は、例えばフラッシュメモリー等の不揮発性メモリーを備えて構成され、時計３の動作に必要な各種プログラムやデータを記憶している。例えば、記憶部５９は、制御部６０によって実行される計測結果表示処理（後述する単独表示処理及び連携表示処理）を実行するための計測結果表示プログラムを記憶している。また、記憶部５９は、計測部５８による計測結果、及び、計測装置２による計測結果を、計時部５５によって計時されている現在日時と関連付けて記憶する。
更に、記憶部５９は、上記記憶部２４と同様に、計測部５８によって計測可能な複数の計測項目（方位、気圧及び高度）のそれぞれに応じた表示期間を記憶している。本実施形態では、方位の表示期間として「２分間」が記憶され、気圧の表示期間として「１分間」が記憶され、高度の表示期間として「２分間」が記憶されている。しかしながら、これに限らず、これら表示期間は適宜変更可能である。
【００３９】
図５は、制御部６０の構成を示すブロック図である。
制御部６０は、ＣＰＵ等の演算処理回路を備えて構成され、時計３全体の動作を制御する。例えば、制御部６０は、スイッチＳＷの押下に応じて入力される操作信号に応じた処理を実行する。この他、制御部６０は、上記日時情報の受信及び現在日時の修正を上記受信部５４及び計時部５５に実施させたり、上記駆動部５７に上記指針Ｈの運針を実施させたりする。更に、制御部６０は、上記計測結果表示プログラムを実行して、取得された計測結果を表示する計測結果表示処理を実施する。
これらの処理を実行するために、制御部６０は、図５に示すように、モード設定部６０１、通信制御部６０２、表示項目取得部６０３、表示期間取得部６０４、表示期間設定部６０５、表示時間計時部６０６、計測結果取得部６０７、表示制御部６０８、時間判定部６０９、項目判定部６１０及び期間変更部６１１を有する。
【００４０】
モード設定部６０１は、時計３の動作モードを設定する。具体的に、モード設定部６０１は、上記スイッチＳＷＣの入力操作に応じた操作信号が入力されると、当該操作信号に応じて、時計３の動作モードを切り替える。このような動作モードとして、時計３には、基本モード、機内モード、方位表示モード、気圧表示モード、高度表示モード及び通信モードが設定されている。なお、モード設定部６０１によって設定された動作モードは、上記モード針Ｈ４によって示される。
【００４１】
基本モードは、現在日時を表示する他、日時情報を含む電波や外部機器との通信波を受信可能なモードである。
機内モードは、飛行機の機内にある場合に利用されるモードであり、電波受信が制限されたモードである。
方位表示モードは、上記方位センサーの検出結果に基づく方位（北の向き）を表示針Ｈ８によって示すモードである。
気圧表示モードは、上記気圧センサーの検出結果に基づく気圧を表示針Ｈ６〜Ｈ８によって示すモードである。
高度表示モードは、上記気圧センサーによって検出された気圧に基づいて算出される高度を表示針Ｈ６〜Ｈ８によって示すモードである。
通信モードは、通信部５６による外部機器との通信を実施させるモードである。
【００４２】
通信制御部６０２は、時計３の動作モードが通信モードである場合に、通信部５６による外部機器との通信を制御する。例えば、通信制御部６０２は、計測装置２による計測結果を時計３にて表示する場合には、通信部５６によって、計測結果（詳細計測情報）を要求する要求情報を計測装置２に送信する他、計測結果の受信を終了する終了情報を計測装置２に送信する。また、通信制御部６０２は、通信部５６によって、計測装置２から送信された上記詳細計測情報を受信する。すなわち、通信制御部６０２は、通信部５６とともに、当該詳細計測情報を受信する受信部ということもできる。なお、通信制御部６０２は、当該詳細計測情報を計測装置２から所定間隔（例えば４秒間隔）で受信する。
また、通信部５６が、計測装置２とは異なる外部機器（例えばスマートフォンやＰＣ（Personal Computer））と通信する場合には、通信制御部６０２は、当該外部機器から任意の計測項目に応じた表示期間を変更する変更情報を取得可能である。
【００４３】
表示項目取得部６０３、表示期間取得部６０４、表示期間設定部６０５、表示時間計時部６０６、計測結果取得部６０７、表示制御部６０８、時間判定部６０９及び項目判定部６１０は、計測部５８による計測結果、又は、計測装置２による計測結果を表示する場合に機能する。
表示項目取得部６０３は、計測結果を表示する表示対象の計測項目（表示対象項目）を取得する。例えば、時計３の動作モードが方位表示モードである場合には、表示項目取得部６０３は、表示対象項目として方位を取得する。同様に、当該動作モードが気圧表示モード又は高度表示モードである場合も、表示項目取得部６０３は、当該表示対象項目として気圧又は高度を取得する。更に、当該動作モードが通信モードであり、計測装置２による計測結果を表示する場合には、表示項目取得部６０３は、受信された詳細計測情報の上記対象項目情報により示される表示対象項目を取得する。
【００４４】
表示期間取得部６０４は、上記表示対象項目に対応する上記表示期間を取得する。具体的に、上記計測部５８によって計測可能な複数の計測項目のうちのいずれかが表示対象項目に設定され、時計３が当該計測部５８による計測結果を表示する場合（時計３の動作モードが方位表示モード、気圧表示モード及び高度表示モードのいずれかである場合）には、表示期間取得部６０４は、当該表示対象項目に応じた表示期間を記憶部５９から取得する。また、計測装置２による計測結果を表示する場合には、上記詳細計測情報の表示期間情報により示される表示期間を取得する。
【００４５】
表示期間設定部６０５は、表示期間取得部６０４によって取得された表示期間を、現在の表示対象項目の計測結果を表示する期間として設定する。なお、時計３が計測装置２による計測結果を表示する場合でも、表示対象項目に応じた表示期間が記憶部５９に記憶されている場合には、取得された詳細計測情報の表示期間情報により示される表示期間に優先して、既に記憶されている表示期間を設定する。
このような表示対象項目に応じた表示期間は、当該表示対象項目の計測結果を表示可能な最大の表示期間であり、表示可能期間と言い換えてもよい。
【００４６】
表示時間計時部６０６は、上記表示対象項目の計測結果を表示する処理を開始してからの経過時間を計時する。
具体的に、表示時間計時部６０６は、時計３が計測部５８による計測結果を表示する場合には、表示対象項目に応じた表示期間（表示可能期間）が設定されてからの経過時間を計時する。
一方、計測装置２による計測結果を表示する場合には、表示時間計時部６０６は、計測装置２から取得された詳細計測情報の表示期間情報に基づいて、上記表示期間（表示可能期間）が設定されてからの経過時間を計時する。
なお、表示時間計時部６０６によって計時される経過時間は、表示対象項目が変更されると、当該表示時間計時部６０６によってリセットされる。
【００４７】
計測結果取得部６０７は、時計３が計測部５８による計測結果を表示する場合には、計測部５８による計測結果のうち、表示対象項目に応じた計測結果を取得する。一方、時計３が計測装置２による計測結果を表示する場合には、計測結果取得部６０７は、上記詳細計測情報の計測結果情報により示される計測結果を取得する。
【００４８】
表示制御部６０８は、駆動部５７によって上記指針Ｈを回動させて、各種情報を表示させる。例えば、表示制御部６０８は、時針Ｈ１、分針Ｈ２及び秒針Ｈ３を回動させて、計時部５５によって計時されている現在時刻を表示させる。また、表示制御部６０８は、モード針Ｈ４及び残量針Ｈ５を回動させて、時計３の現在の動作モード及び電池残量を表示させる。
更に、表示制御部６０８は、表示針Ｈ６〜Ｈ８を回動させて、計測結果取得部６０７によって取得された計測結果（計測値）を表示させる。
【００４９】
時間判定部６０９は、表示時間計時部６０６によって計時されている経過時間が、上記表示期間設定部６０５によって設定された表示期間（表示可能期間）を経過したか否かを判定する。なお、詳しくは後述するが、当該経過時間が表示期間を経過すると、計測結果表示処理が終了される。
項目判定部６１０は、上記経過時間が表示期間を経過していない間に、上記表示対象項目が変更されたか否かを判定する。具体的に、項目判定部６１０は、現在の表示対象項目と、新たに取得された詳細計測情報の対象項目情報によって示される計測項目とが一致するか否かを判定する。この項目判定部６１０の判定結果に基づいて、上記表示時間計時部６０６は、経過時間をリセットするか否かを判断している。
【００５０】
期間変更部６１１は、通信制御部６０２によって上記変更情報が取得された場合に、当該変更情報に基づいて、記憶部５９に記憶されている計測項目毎の表示期間を変更する。
例えば、当該変更情報が、高度の表示期間を「５分間」とする情報である場合には、期間変更部６１１は、記憶部５９に記憶された高度の表示期間を「５分間」に更新する。
また例えば、当該変更情報が、計測装置２によって計測可能な計測項目である紫外線量の表示期間を「１０分間」とする情報である場合には、当該情報を記憶部５９に記憶する。これにより、上記のように、計測装置２によって計測された紫外線量を表示する場合には、詳細計測情報の表示期間情報によって示される表示期間に優先して、紫外線量の表示期間として記憶部５９に記憶された「１０分間」が、表示期間設定部６０５によって設定される。
【００５１】
［計測結果表示処理］
次に、計測システム１によって実施される計測結果表示処理を説明する。
この計測結果表示処理は、計測部５８による計測結果を時計３が表示する単独表示処理と、計測装置２による計測結果を時計３が表示する連携表示処理と、を含む。
これら単独表示処理及び連携表示処理を説明する。
【００５２】
［単独表示処理］
図６は、時計３によって実施される単独表示処理を示すフローチャートである。
時計３の動作モードが、方位表示モード、気圧表示モード及び高度表示モードのいずれかに切り替えられた場合、制御部６０は、記憶部５９に記憶された計測結果表示プログラムを実行して、以下に示す単独表示処理を実行する。
この単独表示処理では、図６に示すように、まず、表示項目取得部６０３が、表示対象項目を取得する（ステップＳＡ１）。
次に、表示時間計時部６０６は、経過時間（表示時間計時部６０６による計時時間）をリセットする（ステップＳＡ２）。
この後、表示期間取得部６０４が、表示対象項目に対応する表示期間を記憶部５９から取得し、表示期間設定部６０５が、取得された表示期間を、表示対象項目の計測結果を表示可能な表示期間（表示可能期間）として設定する（ステップＳＡ３）。
そして、表示時間計時部６０６が、経過時間の計時を開始する（ステップＳＡ４）。
この後、計測結果取得部６０７が、表示対象項目の計測結果を計測部５８から取得し、表示制御部６０８が、上記表示針Ｈ６〜Ｈ８を用いて当該計測結果を表示する（ステップＳＡ５）。
【００５３】
一方、時間判定部６０９は、表示時間計時部６０６による経過時間が、設定された表示期間（表示可能期間）を経過したか否かを判定する（ステップＳＡ６）。
このステップＳＡ６の判定処理にて、当該表示期間を経過していないと判定されると（ステップＳＡ６：ＮＯ）、項目判定部６１０が、動作モードが変更されて、表示対象項目が変更されたか否かを判定する（ステップＳＡ７）。
このステップＳＡ７の判定処理にて、表示対象項目は変更されていないと判定されると（ステップＳＡ７：ＮＯ）、制御部６０は、処理をステップＳＡ５に戻す。これにより、計測部５８の各センサーのサンプリングレートに応じて表示対象項目の計測結果が取得され、表示針Ｈ６〜Ｈ８が回動されて当該計測結果（計測値）が表示される。
【００５４】
一方、ステップＳＡ７の判定処理にて、表示対象項目が変更されたと判定されると（ステップＳＡ７：ＹＥＳ）、制御部６０は、処理をステップＳＡ１に戻すことにより、表示項目取得部６０３が、変更された表示対象項目を設定する。
なお、上記ステップＳＡ６の判定処理にて、上記経過時間が表示期間（表示可能期間）を経過したと判定された場合（ステップＳＡ６：ＹＥＳ）、制御部６０は、単独表示処理を終了する。
これにより、表示対象項目に応じた表示期間が経過するまで、当該表示対象項目の計測結果（計測値）が表示針Ｈ６〜Ｈ８によって示される。
【００５５】
［連携表示処理］
図７は、計測装置２及び時計３によって実施される連携表示処理を示すフローチャートである。
時計３の動作モードが、通信モードであり、通信接続対象が計測装置２である場合に、制御部６０は、記憶部５９に記憶された計測結果表示プログラムを実行し、制御部２５が記憶部２４に記憶された計測結果送信プログラムを実行することにより、これら時計３及び計測装置２は、以下に示す連携表示処理を実施する。
この連携表示処理では、図７に示すように、まず、表示項目取得部６０３が、現在の表示対象項目をリセット（初期化）する（ステップＳＢ１）。
また、通信制御部６０２が、通信部５６によって上記要求情報を計測装置２に送信する（ステップＳＢ２）。
このステップＳＢ２の後、制御部６０は、処理をステップＳＢ３に移行する。
【００５６】
計測装置２では、受信判定部２５７が、時計３から要求情報が受信されたか否かを判定している（ステップＳＣ１）。この判定処理にて、受信判定部２５７は、要求情報は受信されていないと判定すると（ステップＳＣ１：ＮＯ）、当該判定処理を所定間隔で繰り返し実行する。
一方、当該判定処理にて、受信判定部２５７が、要求情報は受信されたと判定すると（ステップＳＣ１：ＹＥＳ）、送信情報生成部２５５が、上記詳細計測情報を生成する（ステップＳＣ２）。
そして、通信制御部２５６が、要求情報の送信元である時計３に、生成された詳細計測情報を通信部２３によって送信する（ステップＳＣ３）。
【００５７】
この後、受信判定部２５７が、時計３から終了情報が受信されたか否かを判定する（ステップＳＣ４）。この判定処理にて、受信判定部２５７が、終了情報は受信されていないと判定すると（ステップＳＣ４：ＮＯ）、対象切替部２５４が、表示対象項目を切り替える入力操作が行われたか否かを判定する（ステップＳＣ５）。
このステップＳＣ５の判定処理にて、対象切替部２５４が、当該入力操作は行われていないと判定すると（ステップＳＣ５：ＮＯ）、制御部２５は、処理をステップＳＣ２に戻し、同じ計測項目の新たな計測結果を含む詳細計測情報を生成及び送信する。
【００５８】
一方、ステップＳＣ５の判定処理にて、対象切替部２５４が、上記入力操作が行われたと判定すると（ステップＳＣ５：ＹＥＳ）、対象切替部２５４が、当該入力操作に応じた計測項目に表示対象項目を切り替える（ステップＳＣ６）。
この後、制御部２５は、処理をステップＳＣ２に戻す。これにより、新たな表示対象項目を示す対象項目情報と、当該表示対象項目の計測結果を示す計測結果情報と、当該表示対象項目に応じた表示期間を示す表示期間情報と、を含む詳細計測情報が、生成及び送信される。
なお、上記ステップＳＣ４の判定処理にて、受信判定部２５７が、終了情報が受信されたと判定すると（ステップＳＣ４：ＹＥＳ）、制御部２５は、計測装置２での連携表示処理を終了する。
【００５９】
ステップＳＢ３に移行した時計３では、通信制御部６０２が、計測装置２から送信された詳細計測情報を通信部５６に受信させる（ステップＳＢ３）。
この後、表示項目取得部６０３が、受信された詳細計測情報から対象項目情報を取得し、項目判定部６１０が、当該対象項目情報に基づいて表示対象項目が変更されたか否かを判定する（ステップＳＢ４）。具体的に、このステップＳＢ４では、上記のように、項目判定部６１０が、現在の表示対象項目（既に取得された詳細計測情報の対象項目情報によって示される計測項目）と、新たに取得された詳細計測情報の対象項目情報によって示される計測項目とが異なるか否かを判定する。
なお、時計３が上記要求情報を送信してから最初に詳細計測情報が受信された場合には、上記ステップＳＢ１にて表示対象項目がリセットされているので、ステップＳＢ４では、表示対象項目が変更されたと判定される。
【００６０】
このステップＳＢ４の判定処理にて、項目判定部６１０が、表示対象項目は変更されていないと判定すると（ステップＳＢ４：ＮＯ）、制御部６０は、処理をステップＳＢ８に移行する。
一方、ステップＳＢ４の判定処理にて、項目判定部６１０が、表示対象項目は変更されたと判定すると（ステップＳＢ４：ＹＥＳ）、表示時間計時部６０６が、現在計時している上記経過時間をリセットする（ステップＳＢ５）。
そして、表示期間設定部６０５が、現在の表示対象項目に応じた表示期間を、計測結果を表示する期間（表示可能期間）として設定する（ステップＳＢ６）。この際、表示期間設定部６０５は、当該表示対象項目に応じた表示期間が記憶部５９に記憶されている場合には、当該表示期間を取得して設定し、また、記憶部５９に記憶されていない場合には、新たに取得された詳細計測情報の表示期間情報により示される表示期間を設定する。
この後、表示時間計時部６０６が、経過時間の計時を開始する（ステップＳＢ７）。
このステップＳＢ７の後、制御部６０は、処理をステップＳＢ８に移行する。
【００６１】
ステップＳＢ８では、計測結果取得部６０７が、取得された詳細計測情報の計測結果情報を取得し、表示制御部６０８が、当該計測結果情報により示される計測結果（計測値）を表示針Ｈ６〜Ｈ８によって表示する（ステップＳＢ８）。
このようなステップＳＢ８と平行して、時間判定部６０９が、表示時間計時部６０６によって計時されている経過時間が、表示期間設定部６０５によって設定された表示期間（表示可能期間）を経過したか否かを判定する（ステップＳＢ９）。
このステップＳＢ９の判定処理にて、時間判定部６０９が、経過時間が表示期間を経過していないと判定すると（ステップＳＢ９：ＮＯ）、制御部６０は、処理をステップＳＢ３に移行する。これにより、新たな詳細計測情報がステップＳＢ３にて受信され、当該詳細計測情報に基づいてステップＳＢ４〜ＳＢ８が実施される。
【００６２】
一方、ステップＳＢ９の判定処理にて、時間判定部６０９が、経過時間が表示期間を経過したと判定すると（ステップＳＢ９：ＹＥＳ）、通信制御部６０２が、上記終了情報を計測装置２に送信する（ステップＳＢ１０）。
このステップＳＢ１０が実施されると、制御部６０は、時計３での連携表示処理を終了する。
【００６３】
［実施形態の効果］
以上説明した本実施形態に係る計測システム１によれば、以下の効果を奏することができる。
計測部５８による計測結果が時計３により表示可能な期間である表示期間、及び、計測装置２による計測結果が時計３により表示可能な期間である表示期間は、計測項目に応じて設定されている。これによれば、計測項目によって当該表示期間を異ならせることができる。このため、例えば気圧や気温等、短時間の表示によって計測結果を確認可能な計測項目が表示対象項目である場合には、当該表示対象項目の計測結果が表示される期間を短くすることにより、時計３の消費電力を抑制できる。一方、例えば歩数のような計測結果を長時間確認したい計測項目（計測結果を長時間表示する必要がある計測項目）については、当該計測結果が表示される期間を長くすることにより、当該計測項目の計測結果を確実に確認できる。また、この場合でも、計測結果が表示され続ける場合に比べて、時計３の消費電力を抑制できる。従って、時計３の消費電力を抑制できる他、当該時計３の利便性を向上させることができる。
【００６４】
時計３は、方位、気圧及び高度を計測可能な計測部５８を有する。そして、上記動作モードが、方位表示モード、気圧表示モード及び高度表示モードに切り替えられた場合には、計測結果取得部６０７は、計測部５８による計測結果を取得する。これによれば、計測装置２と通信することなく、これら計測項目の計測結果を時計３単体で表示できる。
【００６５】
時計３は、計測部５８によって計測可能な方位、気圧及び高度に応じた表示期間（表示可能期間）を記憶する記憶部５９を有する。これによれば、表示対象項目の計測結果を表示する際に、当該表示期間を外部から取得する必要がない。従って、時計３が、表示対象項目に応じた表示期間の間のみ当該表示対象項目の計測結果を確実に表示できる。
【００６６】
ここで、時計３は、ユーザーに装着されて利用されるウェアラブル機器であるため、時計３（筐体４１）内のスペース、電池容量及び重量の問題により、多くのセンサーを設けることが難しい。
これに対し、計測装置２は、紫外線量、気温、歩数及びカロリーを計測可能であり、時計３は、当該計測装置２から表示対象項目の計測結果を含む詳細計測情報を受信可能な通信部５６を有する。そして、当該計測結果を表示する場合には、制御部６０の計測結果取得部６０７は、受信された詳細計測情報の計測結果情報から計測結果を取得する。これによれば、時計３によって計測結果を表示可能な計測項目を容易に増やすことができる。従って、時計３の機能を容易に拡張できる。
【００６７】
計測装置２による計測結果を時計３が表示する場合、表示期間取得部６０４は、計測装置２から送信された詳細計測情報に含まれる表示期間情報から、表示対象項目の表示期間（表示可能期間）を取得する。これによれば、時計３が、計測装置２によって計測可能な計測項目に応じた表示期間を予め保持しておく必要がない。従って、計測装置２から計測結果を取得して表示する場合でも、時計３が、表示対象項目に応じた表示期間の間のみ当該表示対象項目の計測結果を確実に表示できる。
【００６８】
表示対象項目が変更された場合、表示期間設定部６０５は、変更された表示対象項目に応じた表示期間を、当該表示対象項目の計測結果を表示可能な期間として設定する。これによれば、表示期間が長い計測項目（例えば歩数）から、表示期間が短い計測項目（例えば気温）に表示対象項目が切り替えられた場合に、表示期間が変更されないことによって、短時間で確認可能な計測項目の計測結果が長時間表示され続けることを抑制できる。また、表示期間が短い計測項目から、表示期間が長い計測項目に表示対象項目が切り替えられた場合に、表示期間が変更されないことによって、長時間確認したい計測項目の計測結果が短時間しか表示されなくなることを抑制できる。従って、時計３の利便性を向上させることができる。
【００６９】
時計３の表示部４２は、文字盤４３と、当該文字盤４３に回動可能に設けられ、表示対象項目の計測結果を指示する指針Ｈ（表示針Ｈ６〜Ｈ８）と、を有する。これによれば、当該計測結果を直観的に把握できる。また、このような計測結果をデジタル表示する場合に比べて、時計３の高級感を高めることができる。
【００７０】
［実施形態の変形］
本発明は、上記実施形態に限定されるものではなく、本発明の目的を達成できる範囲での変形、改良等は本発明に含まれるものである。
上記実施形態では、時計３の計測部５８は、方位、気圧及び高度を計測可能とし、計測装置２は、紫外線量、気温、歩数及びカロリーを計測可能とした。しかしながら、これに限らず、計測部５８及び計測装置２が計測可能な計測項目は、上記のように、他の計測項目でもよく、これら計測部５８及び計測装置２が計測可能な計測項目の数も、適宜変更可能である。一方、時計３が計測装置２から上記詳細計測情報を取得可能であれば、計測部５８は無くてもよい。他方、時計３が計測部５８を有していれば、時計３と計測装置２との通信は必ずしも必要ない。
【００７１】
上記実施形態では、各計測項目の計測結果（計測値）を時計３が表示可能な期間である表示期間（表示可能期間）を、記憶部５９から取得する他、計測装置２から受信される詳細計測情報から取得して設定するとした。しかしながら、これに限らず、当該表示期間は、計測装置２によって計測可能な計測項目を含めて、時計３が表示可能な計測項目毎に、予め記憶部５９に記憶されていてもよい。また、表示期間は、計測結果を表示する際に、ユーザーが入力してもよい。
また、表示対象項目が変更された場合、表示期間も変更されるとした。しかしながら、これに限らず、表示対象項目が変更された場合でも、表示期間は変更されなくてもよい。
【００７２】
上記実施形態では、時計３は、アナログ式の電子時計として構成され、表示対象項目の計測結果を指針Ｈ（表示針Ｈ６〜Ｈ８）によって表示するとした。しかしながら、これに限らず、電子時計は、計測結果をデジタル表示する表示部を有する構成としてもよい。
また、計測結果を表示する指針Ｈは、２つ以下でも、４つ以上でもよい。更に、他の指針Ｈ（例えば時針Ｈ１、分針Ｈ２及び秒針Ｈ３）が、計測結果を示すように構成してもよい。加えて、文字盤４３のデザイン（例えば小窓のレイアウト）や指針Ｈの配置も、適宜変更可能である。
【００７３】
上記実施形態では、期間変更部６１１は、外部機器から上記変更情報が受信及び取得された場合に、対応する計測項目の表示期間を変更するとした。しかしながら、これに限らず、期間変更部６１１は、ユーザーの時計３に対する入力操作に応じて、対応する計測項目の表示期間を変更してもよい。この場合、例えば、りゅうずＣＲに対する入力操作に応じて、当該表示期間をユーザーが設定可能としてもよい。
【００７４】
上記実施形態では、時計３は、ユーザーに装着されて利用されるウェアラブル機器として構成した。しかしながら、これに限らず、本発明における電子時計は、所定の位置に配置される電子時計であってもよい。計測装置も同様である。
【符号の説明】
【００７５】
１…計測システム、２…計測装置、３…電子時計、４２…表示部、４３…文字盤、５６…通信部、５８…計測部、５９…記憶部、６０…制御部、６０１…モード設定部、６０２…通信制御部、６０３…表示項目取得部、６０４…表示期間取得部、６０５…表示期間設定部、６０６…表示時間計時部、６０７…計測結果取得部、６０８…表示制御部、６０９…時間判定部、６１０…項目判定部、６１１…期間変更部、Ｈ…指針。
【図１】
2018159664.tif 000003
【図２】
2018159664.tif 000004
【図３】
2018159664.tif 000005
【図４】
2018159664.tif 000006
【図５】
2018159664.tif 000007
【図６】
2018159664.tif 000008
【図７】
2018159664.tif 000009